(57)【要約】      （修正有）【課題】接合部の強度と防水性能の高い便座の製造方法を提供する。【解決手段】金属製の上部便座ケーシング３１０と樹脂製の下部便座ケーシング３２０の相互の外周縁と内周縁の先端が当接するように積層し、電磁誘導加熱装置５１０により上部便座ケーシング３１０の外周縁と内周縁を発熱させることにより下部便座ケーシング３２０の外周縁と内周縁の少なくとも一部を溶融し、押圧装置５２０により上部便座ケーシング３１０を下部便座ケーシング３２０に押圧することにより、上部便座ケーシング３１０と下部便座ケーシング３２０の外周縁と内周縁を溶着する。【選択図】図６
2012235956.tif 000002
【特許請求の範囲】
【請求項１】
金属を含む材料で形成した環状の上部便座ケーシングと、
樹脂材料で形成した環状の下部便座ケーシングと、を含み、
前記上部便座ケーシングの外周部と内周部は下方に向けて屈曲した外周縁と内周縁とを備え、
前記下部便座ケーシングの外周部と内周部は上方に向けて屈曲した外周縁と内周縁とを備え、
前記上部便座ケーシングと前記下部便座ケーシングの相互の前記外周縁と前記内周縁の先端が当接するように積層し、
前記上部便座ケーシングの前記外周縁と前記内周縁に近接して電磁誘導加熱装置を設置し、
前記電磁誘導加熱装置により前記上部便座ケーシングの前記外周縁と前記内周縁を発熱させることにより前記下部便座ケーシングの前記外周縁と前記内周縁の一部を溶融し、
押圧装置により前記上部便座ケーシングを前記下部便座ケーシングに押圧することにより、前記下部便座ケーシングの溶融した前記外周縁と前記内周縁に前記上部便座ケーシングの前記外周縁と前記内周縁を嵌入した後、冷却固化することにより、前記上部便座ケーシングと前記下部便座ケーシングを接合する、
便座の製造方法。
【請求項２】
前記電磁誘導加熱装置は、前記上部便座ケーシングの前記外周縁と前記内周縁の先端部に近接して周回する加熱コイルを備えた、
請求項１に記載の便座の製造方法。
【請求項３】
前記上部便座ケーシングの前記外周縁と前記内周縁の少なくとも一方に、接合後の前記上部便座ケーシングと前記下部便座ケーシングの離脱を防止するアンカー部を備えた、
請求項１または２に記載の便座の製造方法。
【請求項４】
前記アンカー部は、前記上部便座ケーシングの前記外周縁と前記内周縁に横方向に突出した突出部で構成した、
請求項３に記載の便座の製造方法。
【請求項５】
前記アンカー部は、前記上部便座ケーシングの前記外周縁と前記内周縁の複数箇所に設けた貫通孔で構成した、
請求項３記載の便座の製造方法。
【請求項６】
前記下部便座ケーシングの前記外周縁と前記内周縁の少なくとも一部の端面に、前記上部便座ケーシングの外周縁と内周縁の少なくとも一部が挿入できる挿入溝があらかじめ形成された、
請求項１〜５のいずれか１項に記載の便座の製造方法。
【請求項７】
金属製の前記上部便座ケーシングと、
樹脂材料で成型した前記下部便座ケーシングと、を備え、
請求項１〜６のいずれか１項に記載の便座の製造方法で製造した、
便座。
【請求項８】
前記上部便座ケーシングの裏面に便座ヒータを設置した、
請求項７に記載の便座。
【発明の詳細な説明】
【技術分野】
【０００１】
本発明は便座装置等に使用する便座の製造方法に関するものである。
【背景技術】
【０００２】
従来、この種の便座の製造方法は、樹脂製の下ケースの内周縁と外周縁の所定箇所に係止用の爪状突起と位置決め用のリブ状突起とを所定の間隔を設けて形成し、金属製の上ケースには内周縁と外周縁の略全周を水平方向に屈曲させて接合片を形成し、接合片のリブ状突起に対応する位置には固定穴を形成し、下ケースと上ケースを対向させて、下ケースのリブ状突起を上ケースの固定穴に挿入して人力で押圧することにより、上ケースの接合片が下ケースの爪状突起と係合して上ケースと下ケースが一体化できる。また、下ケースの内周縁と外周縁には溝が形成されており溝にチューブ状のシール材を予め挿入しておくことにより、上ケースと下ケースの接合部はシール材でシールされ防水機能が付与されている（例えば、特許文献１参照）。
【０００３】
図１０は、特許文献１に記載された従来の便座の製造方法を示すもので組み立て前の状態を示すものであり、図１１は便座の組み立て後の断面を示すものである。図に示すように、上ケース１の内周縁１ａと外周縁１ｂには接合片２が形成されており、接合片２の所定箇所には固定穴３が開口している。下ケース４の内周縁４ａと外周縁４ｂには所定箇所に爪状突起５とリブ状突起６が形成されている。また、下ケース４の内周縁４ａと外周縁４ｂには溝７が形成されており、溝７にはシール材８が挿入されている。また上ケース１の内面には便座ヒータ９が接着されている。
【先行技術文献】
【特許文献】
【０００４】
【特許文献１】特開２０１０−１０４７６２号公報
【発明の概要】
【発明が解決しようとする課題】
【０００５】
しかしながら、前記従来の構成および製造方法では、上ケースと下ケースとの結合は接合片と爪状突起との係合により成されるものであり、しかも人力により組み立て作業を行うため、部品の寸法精度や作業者の作業内容により、接合部の強度や接合状態にバラツキが発生しやすく、便座に着座した使用者の体重により接合部が微妙に動くことにより異音が発生する使用上の不都合や、接合部に隙間が生じて防水性能が低下して漏電が発生する安全面での不都合や、隙間にごみが付着することにより発生する衛生面での不都合など、未だ改善の余地があった。
【０００６】
本発明は、前記従来の課題を解決するもので、接合部の強度と防水性能の高い便座を簡単な設備を使用して実施する便座の製造方法を提供することを目的とする。
【課題を解決するための手段】
【０００７】
前記従来の課題を解決するために、本発明の便座の製造方法は、金属を含む材料で形成した環状の上部便座ケーシングと、樹脂材料で形成した環状の下部便座ケーシングと、を含み、上部便座ケーシングの外周部と内周部は下方に向けて屈曲した外周縁と内周縁とを備え、下部便座ケーシングの外周部と内周部は上方に向けて屈曲した外周縁と内周縁とを備え、上部便座ケーシングと下部便座ケーシングの相互の外周縁と内周縁の先端が当接するように積層し、上部便座ケーシングの外周縁と内周縁に近接して電磁誘導加熱装置を設置し、電磁誘導加熱装置により上部便座ケーシングの外周縁と内周縁を発熱させることに
より下部便座ケーシングの外周縁と内周縁の一部を溶融し、押圧装置により上部便座ケーシングを下部便座ケーシングに押圧することにより、下部便座ケーシングの溶融した外周縁と内周縁に上部便座ケーシングの外周縁と内周縁を嵌入した後、冷却固化することにより、上部便座ケーシングと下部便座ケーシングを接合する便座の製造方法である。
【０００８】
これにより、上部便座ケーシングと下部便座ケーシングの内周縁と外周縁は樹脂により溶着接合されるため、強い接合強度が得られるとともに、接合部は完全な密着構造となるため高い防水性能を得ることができ、このような接合性能の高い便座を電磁誘導加熱装置と押圧装置という簡単な設備使用して実施することができる。
【発明の効果】
【０００９】
本発明の便座の製造方法は簡単な製造設備を使用して接合性能の高い便座を製造することができる。
【図面の簡単な説明】
【００１０】
【図１】本発明の実施の形態１における便座の製造方法で製造した便座を搭載した便座装置の外観を示す斜視図
【図２】本発明の実施の形態１における便座の完成状態の外観を示す斜視図
【図３】本発明の実施の形態１における便座の部材構成を示す斜視図
【図４】同便座の上部便座ケーシングと下部便座ケーシングの部品状態の要部断面を示す斜視図
【図５】同便座の上部便座ケーシングと下部便座ケーシングの組み合せ状態の要部断面を示す斜視図
【図６】本発明の実施の形態１における便座の接合設備を示す模式図
【図７】本発明の実施の形態１における便座の完成状態を示す断面図
【図８】本発明の実施の形態２における便座の部品状態の要部断面を示す斜視図
【図９】本発明の実施の形態３における便座の部品状態の要部断面を示す斜視図
【図１０】従来の便座の製造方法における便座の部品状態を示す斜視図
【図１１】従来の便座の製造方法における便座の完成状態を示す断面図
【発明を実施するための形態】
【００１１】
第１の発明は、金属を含む材料で形成した環状の上部便座ケーシングと、樹脂材料で形成した環状の下部便座ケーシングと、を含み、前記上部便座ケーシングの外周部と内周部は下方に向けて屈曲した外周縁と内周縁とを備え、前記下部便座ケーシングの外周部と内周部は上方に向けて屈曲した外周縁と内周縁とを備え、前記上部便座ケーシングと前記下部便座ケーシングの相互の前記外周縁と前記内周縁の先端が当接するように積層し、前記上部便座ケーシングの前記外周縁と前記内周縁に近接して電磁誘導加熱装置を設置し、前記電磁誘導加熱装置により前記上部便座ケーシングの前記外周縁と前記内周縁を発熱させることにより前記下部便座ケーシングの前記外周縁と前記内周縁の一部を溶融し、押圧装置により前記上部便座ケーシングを前記下部便座ケーシングに押圧することにより、前記下部便座ケーシングの溶融した前記外周縁と前記内周縁に前記上部便座ケーシングの前記外周縁と前記内周縁を嵌入した後、冷却固化することにより、前記上部便座ケーシングと前記下部便座ケーシングを接合する便座の製造方法である。
【００１２】
これにより、上部便座ケーシングと下部便座ケーシングの内周縁と外周縁は樹脂により溶着接合されるため、強い接合強度が得られるとともに、接合部は完全な密着構造となるため高い防水性能を得ることができ、このような接合性能の高い便座を電磁誘導加熱装置と押圧装置という簡単な設備使用して実施することができる。
【００１３】
第２の発明は、特に、第１の発明において、前記電磁誘導加熱装置は、前記上部便座ケ
ーシングの前記外周縁と前記内周縁の先端部に近接して周回する加熱コイルを備えたものである。
【００１４】
これにより、溶着接合する上部便座ケーシングの外周縁と内周縁の先端部のみを加熱することができるため、上部便座ケーシングの他の部分を高温に曝すことが抑制できるため、変形や変質が発生することを抑制することができる。
【００１５】
第３の発明は、特に第１または第２の発明において、前記上部便座ケーシングの前記外周縁と前記内周縁の少なくとも一方に、接合後の前記上部便座ケーシングと前記下部便座ケーシングの離脱を防止するアンカー部を備えたものである。
【００１６】
これにより、上部便座ケーシングと下部便座ケーシングの接合強度をより高めることができる。
【００１７】
第４の発明は、特に第３の発明において、前記アンカー部は、前記上部便座ケーシングの前記外周縁と前記内周縁に横方向に突出した突出部で構成したものである。
【００１８】
これにより、簡単な構造でアンカー部を形成することができ、上部便座ケーシングと下部便座ケーシングの接合強度を容易に高めることができる。
【００１９】
第５の発明は、特に第３の発明において、前記アンカー部は、前記上部便座ケーシングの前記外周縁と前記内周縁の複数箇所に設けた貫通孔で構成したものである。
【００２０】
これにより、簡単な構造でアンカー部を形成することができ、特に樹脂が貫通孔を貫通して接合するため接合部の信頼性を向上することができる。
【００２１】
第６の発明は、特に第１〜第５のいずれか１つの発明において、前記下部便座ケーシングの前記外周縁と前記内周縁の少なくとも一部の端面に、前記上部便座ケーシングの外周縁と内周縁の少なくとも一部が挿入できる挿入溝があらかじめ形成されたものである。
【００２２】
これにより、上部便座ケーシングと下部便座ケーシングとの位置あわせが容易となり、製造効率と組み立て精度を向上することができる。
【００２３】
第７の発明は、金属製の前記上部便座ケーシングと、樹脂材料で成型した前記下部便座ケーシングとを備え、第１〜第６のいずれか１つの便座の製造方法で製造した便座である。
【００２４】
これにより、簡単な製造方法で接合強度と防水性能の高い便座を得ることができる。
【００２５】
第８の発明は、特に第７の発明において、前記上部便座ケーシングの裏面に便座ヒータを設置したものである。
【００２６】
これにより、暖房便座等に使用する高品質の便座を製造することができる。
【００２７】
（実施の形態１）
図１は本実施の形態における便座の製造方法で製造した便座を搭載した便座装置の外観を示す斜視図である。
【００２８】
＜１＞便座装置の構成
図１に示すように、便座装置１００は、本体２００、便座３００、便蓋４００により構
成され、便器７００の上面に設置される。
【００２９】
本体２００には、便座３００および便蓋４００が回動機構を介して開閉可能に取り付けられている。図１に示すように便蓋４００を開放した状態においては、便蓋４００は便座装置１００の最後部に位置するように起立し、便蓋４００を閉蓋した状態では便座３００の上面と本体２００の一部を隠蔽する。便座３００は図１に示すように便器７００の上面に載置された状態から、便蓋４００と同様に本体の前面部に起立する。
【００３０】
また、本体２００には、図示しない洗浄水供給機構（図示せず）、熱交換器（図示せず）、洗浄ノズル２０１等からなる洗浄機構と、乾燥ユニット（図示せず）と、制御部（図示せず）等が内蔵される。
【００３１】
本体２００の前面部には着座センサ２０２が設置してある。この着座センサ２０２は非接触式着座センサであり反射型の赤外線センサである。すなわち、発光部から赤外線を発光し人体によって反射された赤外線を受光部が受光検出することにより、便座３００上に使用者が着座していることを検知する。
【００３２】
また、洗浄水供給機構と熱交換器は洗浄ノズル２０１に接続されており、水道配管から供給される洗浄水を熱交換器で加熱することにより温水を洗浄ノズルに供給し、洗浄ノズル２０１から使用者の局部に向けて洗浄水を噴出し、使用者の局部を洗浄するものである。洗浄ノズル２０１はお尻を洗浄するお尻洗浄ノズル部と女性の局部を洗浄するビデノズル部を備えている。
【００３３】
また、乾燥ユニットは洗浄水により濡れた局部に向けて温風を噴出し、局部を乾燥することができる。
【００３４】
なお、洗浄機構と乾燥ユニットは便座装置の必須構成要素ではなく、これらの構成要素を具備しない便座装置でもよい。
【００３５】
また、本体２００の側部より前方に突出するように袖部２１０が設けてあり、袖部２１０の上面には操作部２１１が設けてあり便座装置の各機能を操作する複数の操作スイッチ２１２と表示手段２１３が設置されている。
【００３６】
＜２＞便座の構成
図２は本実施の形態における便座の完成状態を示す斜視図であり、図３は本発明の本実施の形態における便座の部材構成を示す斜視図であり、図４は便座の上部便座ケーシングと下部便座ケーシングの部品状態の要部断面を示す斜視図であり、図５は便座の上部便座ケーシングと下部便座ケーシングの組み合せ状態の要部断面を示す斜視図である。
【００３７】
図２および図３に示すように、便座３００は、表面にポリエステル樹脂により化粧処理されたプレコート鋼板により形成された略楕円形状の環状の上部便座ケーシング３１０と、上部便座ケーシング３１０の裏面に粘着した略馬蹄形状の便座ヒータ３５０、熱可塑性樹脂により形成された略楕円形状の環状の下部便座ケーシング３２０を主構成部品として構成され内部が中空の環状に形成されている。
【００３８】
なお、便座３００は前記主構成部材に加え、図示しない温度検知手段であるサーミスタと、過昇防止手段であるサーモスタットと、サーミスタおよびサーモスタットを固定する固定手段やリード線等の補助構成部材が内蔵されている。
【００３９】
上部便座ケーシング３１０は、厚さ約０．５ｍｍの両面にポリエステル樹脂がプレコー
トされたプレコート鋼板をプレス加工等により略楕円の環状に成型されている。図４に示すように、上部便座ケーシング３１０の断面は略山型状であり、上面部は着座に適した緩い曲面の着座面３１１が形成されており、内周縁３１２と外周縁３１３の先端部は対向するように内方に向かって略水平方向に屈曲された屈曲部３１４、３１５から略鉛直に屈曲した内周接合縁３１６と外周接合縁３１７が形成されている。
【００４０】
便座ヒータ３５０は、前部の一部が切り取られた略馬蹄状に形成されている。便座ヒータ３５０は、アルミニウムからなる２枚の金属箔の間に、線状ヒータを蛇行させて配設して構成されている。便座ヒータ３５０は着座面３１１を加熱できるように線状ヒータを配設あり、特に着座した使用者の大腿部と臀部が快適に加熱されるように場所によって密度を変えて配設してある。
【００４１】
下部便座ケーシング３２０は熱可塑性の樹脂材料を使用した成型品であり、平面形状が上部便座ケーシング３１０と略同形状の本体部３２１と、本体部３２１の両側後方に斜め上方に突出した腕部３２６で構成されている。
【００４２】
本体部３２１の内周縁３２２と外周縁３２３の先端部は略鉛直に形成されており、内周縁３２２と外周縁３２３の上端面には全周に亘って内周接合溝３２４と外周接合溝３２５が形成されている。
【００４３】
上部便座ケーシング３１０と下部便座ケーシング３２０を上下に組み合わせた場合、上部便座ケーシング３１０の内周接合縁３１６と外周接合縁３１７が、下部便座ケーシング３２０の内周接合溝３２４と外周接合溝３２５中に挿入できるように形成されている。
【００４４】
＜３＞便座の製造工程
図６は便座の製造方法における接合設備を示す模式図であり、図７は便座の完成状態を示す断面図
ある。
【００４５】
便座３００の製造における第１の工程は準備工程である。準備工程においては便座３００に内蔵させる部材を予め上部便座ケーシング３１０に設置する作業であり、主構成部材である便座ヒータ３５０と補助構成部材であるサーミスタ、サーモスタットを設置する。
【００４６】
具体的には上部便座ケーシング３１０の着座面３１１の裏面に便座ヒータ３５０を粘着し、便座ヒータ３５０の表面に予めリード線が接続されたサーミスタとサーモスタットをアルミテープ等の固定手段で固定する。
【００４７】
第２の工程は接合工程である。接合工程においては２つの異なる作業を同時に行う工程であり、接合部を加熱する作業と接合部を押圧する作業を同時に行うものであり、この工程では専用の接合設備が必須である。
【００４８】
図６に示すように、接合設備５００は上部便座ケーシング３１０の内周接合縁３１６と外周接合縁３１７を加熱する電磁誘導加熱装置５１０と、上部便座ケーシング３１０と下部便座ケーシング３２０とを押し付ける押圧装置５２０と、上部便座ケーシング３１０を所定の位置に固定する固定治具５３０を備えている。
【００４９】
電磁誘導加熱装置５１０は本体５１１と内周コイル５１２と外周コイル５１３で構成されており、上部便座ケーシング３１０を固定治具５３０に固定した状態で、内周コイル５１２は上部便座ケーシング３１０内周接合縁３１６に近接した位置を環状に周回して設置されており、外周コイル５１３は外周接合縁３１７に近接した位置を環状に周回して設置
されている。内周コイル５１２と外周コイル５１３は銅製のパイプで形成されておりパイプの内部に冷却水を流して冷却する構成となっている。内周コイル５１２と外周コイル５１３は本体５１１とは電気的に接続されており、本体５１１より電力が供給される。
【００５０】
押圧装置５２０は油圧によりベッド５２１が上下に可動し、ベッド５２１上に載置した下部便座ケーシング３２０を上方に移動させることにより、上部便座ケーシング３１０と下部便座ケーシング３２０との接合部に圧力を加えることができる。
【００５１】
固定治具５３０は耐熱性の樹脂で形成されており、中央部に設けられた凹陥部５３１は上部便座ケーシング３１０の着座面３１１と内周縁３１２と外周縁３１３の形状に合わせて形成されており、上部便座ケーシング３１０は凹陥部５３１内に収容され固定される構成となっている。
【００５２】
図６に示すように、上部便座ケーシング３１０の内周接合縁３１６と外周接合縁３１７を、それぞれ下部便座ケーシング３２０の内周接続溝３２４と外周接続溝３２５に挿入した状態で、上部便座ケーシング３１０を固定治具５３０の凹陥部５３１に収容し、押圧装置５２０のベッド５２１の高さを調節して上部便座ケーシング３１０と下部便座ケーシング３２０との仮固定を行う。
【００５３】
仮固定の状態で、電磁誘導加熱装置５１０の本体５１１から内周コイル５１２と外周コイル５１３に通電を開始するとともに、押圧装置５２０のベッド５２１を矢印Ａで示すように上昇させる。
【００５４】
電磁誘導加熱装置５１０の内周コイル５１２と外周コイル５１３に電流が流れることによりにより磁力線が発生し、上部便座ケーシングの内周接合縁３１６と外周接合縁３１７の内部に渦電流が発生し、渦電流と内周接合縁３１６と外周接合縁３１７の抵抗により内周接合縁３１６と外周接合縁３１７自体が発熱昇温する。
【００５５】
内周接合縁３１６と外周接合縁３１７で発熱した熱により下部便座ケーシング３２０の内周接続溝３２４と外周接続溝３２５の主に底部の樹脂が溶融するとともに、押圧装置５２０により加えられる圧力により上部便座ケーシング３１０の内周接合縁３１６と外周接合縁３１７は下部便座ケーシング３２０の内周接続溝３２４と外周接続溝３２５の奥の方に進行し、図７に示すように上部便座ケーシング３１０の屈曲部３１４、３１５が下部便座ケーシング３２０の内周縁３２２と外周縁３２３の端面に当接することにより進行は停止する。
【００５６】
この時点で電磁誘導加熱装置５１０の通電を停止させる。通電を開始してから停止するまでは数秒間である。溶融した樹脂の温度が降下した時点で便座３００を接合設備５００から取り出すことにより、上部便座ケーシング３１０と下部便座ケーシング３２０は内周縁と外周縁の全周に亘って接合されている。
【００５７】
以上のように、本実施の形態のおける便座の製造方法において、特に電磁誘導加熱装置５１０を使用した接合工程が特徴的な工程であり、電磁誘導加熱装置５１０により上部便座ケーシング３１０自体を発熱させることにより、下部便座ケーシング３２０の樹脂を溶融して溶着するものである。
【００５８】
樹脂の溶融に必要な熱を、樹脂に直接接触している上部便座ケーシング３１０の内周接合縁３１６と外周接合縁３１７から発熱させることにより、外部への無駄な放熱を抑制することができるため、高い省エネルギーの効果を得ることができる。
【００５９】
しかも、下部便座ケーシング３２０の内部から必要最小限度の発熱量により内部のみを溶融させることが可能となり、下部便座ケーシング３２０の外面の変形や変色等の外観上関わる不都合の発生を抑制することができる。
【００６０】
また、下部便座ケーシング３２０を溶融して上部便座ケーシング３１０と全周に亘り接合することができるため、接合部の密着性が高く機密性や防水性の高い便座を製造することができる。特に、塗装処理が施されていないプレコート鋼板の切断面を樹脂でカバーすることができるため、上部便座ケーシング３１０の切断面からの腐食を抑制することができ耐久性を向上することができる。
【００６１】
なお、本実施の形態においては、上部便座ケーシングの材料としてポリエステル樹脂のプレコート鋼板を採用したが、これに限るものではなく、プレコートの材質は他の樹脂材料でもよい。また、プレコート鋼板に限らず、鋼板や亜鉛メッキ鋼板またはアルミニウム板等を使用してプレス加工後に塗装を施したものや、ステンレス板等の他の材料を使用してもよい。
【００６２】
（実施の形態２）
図８は実施の形態２における上部便座ケーシング３６０の外周縁３６１と下部便座ケーシング３２０の外周縁３２３の要部断面を示す斜視図である。
【００６３】
本実施の形態が実施の形態１と異なる点は、外周縁３６１の外周接合縁３６２に横方向に突出した突出部３６３を形成したことであり、下部便座ケーシング３２０は実施の形態１と同様な構成である。
【００６４】
外周接合縁３６２に突出部３６３を設けたことにより、溶融した下部便座ケーシング３２０の樹脂が突出部３６３に沿って固化し、上部便座ケーシング３６０と下部便座ケーシング３２０との引き離しに対する強度の強いアンカー部が形成され、便座の不用意な分離や破損を抑制することができる。
【００６５】
また、実施の形態１と同様に、塗装処理が施されていないプレコート鋼板の切断面を溶融した樹脂の最も奥に配置することができるため、上部便座ケーシング３１０の切断面の腐食を確実に抑制することができ耐久性を向上することができる。
【００６６】
なお、本実施の形態においては、突出部３６３は外周接合縁３６２にのみ形成したが、これに限るものではなく、外周接続縁と内周接続縁の両方に形成してもよく、また、内周接続縁にのみ形成してもよい。
【００６７】
また、形成範囲は接続縁の全周に亘って形成することに限るものではなく一部に範囲にのみ設けてもよい。突出部を設ける部位や範囲は実際の接合強度を考慮して決定すればよい。
【００６８】
（実施の形態３）
図９は実施の形態３における上部便座ケーシング３７０の外周縁３７１と下部便座ケーシング３２０の外周縁３２３の要部断面を示す斜視図である。
【００６９】
本実施の形態が実施の形態１および２と異なる点は、外周縁３７１の外周接合縁３７２に複数の貫通孔３７３を設置したことであり、下部便座ケーシング３２０は実施の形態１と同様な構成である。
【００７０】
外周接合縁３７２に複数の貫通孔３７３を設けたことにより、溶融した下部便座ケーシ
ング３２０の樹脂が貫通孔３７３を貫通して固化し、上部便座ケーシング３７０と下部便座ケーシング３２０との引き離しに対するより高い強度のアンカー部が形成され便座の不用意な分解や破損を抑制することができる。
【００７１】
なお、本実施の形態においては、貫通孔３７３は外周接合縁３７２にのみ配置したが、これに限るものではなく、外周接続縁と内周接続縁の両方に配置してもよく、また、内周接続縁にのみ配置してもよい。
【００７２】
また、貫通孔は接続縁の全周に亘って均等に配置することに限るものではなく一部の範囲にのみ設けてもよい。
【産業上の利用可能性】
【００７３】
以上のように、本発明にかかる便座の製造方法は、金属部品と樹脂部品を密着して接合することが可能となるので、防水性能が要求される水を使用する家電機器等の用途にも適用できる。
【符号の説明】
【００７４】
３００  便座
３１０、３６０、３７０  上部便座ケーシング
３１２  内周縁
３１３、３６１、３７１  外周縁
３１６  内周接合縁
３１７  外周接合縁
３２０  下部便座ケーシング
３２２  内周縁
３２３  外周縁
３６３  突出部
３７３  貫通孔
５１０  電磁誘導加熱装置
５１２  内周コイル
５１３  外周コイル
５２０  押圧装置
【図１】
2012235956.tif 000003
【図２】
2012235956.tif 000004
【図３】
2012235956.tif 000005
【図４】
2012235956.tif 000006
【図５】
2012235956.tif 000007
【図６】
2012235956.tif 000008
【図７】
2012235956.tif 000009
【図８】
2012235956.tif 000010
【図９】
2012235956.tif 000011
【図１０】
2012235956.tif 000012
【図１１】
2012235956.tif 000013